(57)【特許請求の範囲】
【請求項１】
筐体内の空気吸込み口から空気吹出し口に至る空気流路中に、エアフィルタ、空清フィルタ、熱交換器および送風機等が順次配設されているとともに、前記エアフィルタを移動経路に沿って移動させ、該エアフィルタにより捕集された塵埃を除去するフィルタ清掃機構が設けられている空気調和機において、
前記エアフィルタの下流側に配設されている前記空清フィルタのフィルタ保持枠の一部が、前記エアフィルタの移動経路を形成するフィルタガイド部材の一部に兼用化され、
前記フィルタ保持枠の前記エアフィルタの背面に対向する前面側の面が、前記エアフィルタの移動経路に沿ったフィルタガイド面とされるとともに、前記フィルタガイド面の少なくとも１つが、前記フィルタガイド部材の少なくとも１つを正面側から前記筐体を構成するフロントカバーに固定する止めネジの頭部を覆い隠すネジカバーを兼ねた構成とされていることを特徴とする空気調和機。
【発明の詳細な説明】
【技術分野】
【０００１】
本発明は、エアフィルタを自動的に清掃するフィルタ清掃機構を備えている空気調和機に関するものである。
【背景技術】
【０００２】
エアフィルタで捕集された塵埃が蓄積されると、通風抵抗が増大し、空気調和機の運転効率が低下する。そこで、エアフィルタにより捕集された塵埃を定期的に除去し、エアフィルタを自動清掃するフィルタ清掃機構を備えた空気調和機が提供されている。また、フィルタ清掃機構として、様々な方式が提案されている。その一例として、熱交換器の上流側に配設されているエアフィルタをフィルタガイドに沿って移動させ、その移動経路上に設置されている回転ブラシ等を介してエアフィルタ上の塵埃を掻き取り、それをダストボックス内に回収するようにしたものが知られている（例えば、特許文献１−３参照）。
【０００３】
かかる空気調和機では、熱交換器の上流側に沿って吸込み口を覆うように配設されているエアフィルタを通常付設位置から、エアフィルタ移動経路に沿って筐体内の前面側や上面側等に移動させるようにしているが、このエアフィルタ移動経路は、単一部品で構成することは困難であり、多数のフィルタガイド部材を組み合わせることによって構成されていた。また、これらフィルタガイド部材やフィルタ清掃機構の構成部材等をネジ止めする場合、エアフィルタの移動経路側にネジの頭部が露出し、それがエアフィルタの移動を妨げるのを回避するため、左右方向からネジ止めしているケースがあった。
【先行技術文献】
【特許文献】
【０００４】
【特許文献１】特開２００７−２９２３９９号公報
【特許文献２】特開２００９−１８６０３２号公報
【特許文献３】特許第４１７５４０９号公報
【発明の概要】
【発明が解決しようとする課題】
【０００５】
しかしながら、エアフィルタを円滑に移動させるため、移動経路を形成するフィルタガイド部材の数を徒に増やすと、構成が複雑化し、組み立て性が悪化するとともに、コストアップになるという課題があった。また、フィルタガイド部材等の止めネジを左右方向から締めるように構成すると、組み立て性が悪くなるという課題が発生する。これを回避して正面側からネジ止めすると、止めネジの頭部がエアフィルタの移動経路上に出現してしまう場合があり、それを覆い隠すために別の部品が必要となって、部品点数の増加要因になる等の課題があった。
【０００６】
本発明は、このような事情に鑑みてなされたものであって、エアフィルタの背面側に配設される空清フィルタを有効に利用して、フィルタガイド部材の部品数増加を抑制するとともに、正面側から締めたネジを覆い隠すことができるフィルタ清掃機構付きの空気調和機を提供することを目的とする。
【課題を解決するための手段】
【０００７】
上記した課題を解決するために、本発明の空気調和機は、以下の手段を採用する。
すなわち、本発明にかかる空気調和機は、筐体内の空気吸込み口から空気吹出し口に至る空気流路中に、エアフィルタ、空清フィルタ、熱交換器および送風機等が順次配設されているとともに、前記エアフィルタを移動経路に沿って移動させ、該エアフィルタにより捕集された塵埃を除去するフィルタ清掃機構が設けられている空気調和機において、前記エアフィルタの下流側に配設されている前記空清フィルタのフィルタ保持枠の一部が、前記エアフィルタの移動経路を形成するフィルタガイド部材の一部に兼用化され、前記フィルタ保持枠の前記エアフィルタの背面に対向する前面側の面が、前記エアフィルタの移動経路に沿ったフィルタガイド面とされるとともに、前記フィルタガイド面の少なくとも１つが、前記フィルタガイド部材の少なくとも１つを正面側から前記筐体を構成するフロントカバーに固定する止めネジの頭部を覆い隠すネジカバーを兼ねた構成とされていることを特徴とする空気調和機。
【０００８】
本発明によれば、エアフィルタを移動経路に沿って移動させ、該エアフィルタにより捕集された塵埃を除去するフィルタ清掃機構が設けられている空気調和機にあって、エアフィルタの下流側に配設されている空清フィルタのフィルタ保持枠の一部が、エアフィルタの移動経路を形成するフィルタガイド部材の一部に兼用化され、そのフィルタ保持枠のエアフィルタの背面に対向する前面側の面が、エアフィルタの移動経路に沿ったフィルタガイド面とされるとともに、該フィルタガイド面の少なくとも１つが、フィルタガイド部材の少なくとも１つを正面側から筐体を構成するフロントカバーに固定する止めネジの頭部を覆い隠すネジカバーを兼ねた構成とされているため、エアフィルタの移動経路を形成するフィルタガイド部材が多数のガイド部材からなり、その構成が複雑化され勝ちとなる中において、エアフィルタの下流側に配設されている空清フィルタのフィルタ保持枠をフィルタガイド部材の一部として兼用化することにより、エアフィルタの移動経路を形成するフィルタガイド部材の構成部品数を減らすことができ、フィルタガイド部材の部品数の低減によって構成の簡素化および低コスト化を図ることができるとともに、組み立て性を向上することができる。また、フィルタ保持枠の前面側の面をエアフィルタの移動経路に沿ったフィルタガイド面としたことによって、その面でエアフィルタの背面をガイドし、エアフィルタを移動経路に沿ってスムーズに移動させることができ、従って、フィルタ保持枠の前面側の面をそのままフィルタガイド面として有効利用し、エアフィルタ移動方式のフィルタ清掃機構におけるフィルタガイド部材の部品数を低減して構成の簡素化およびコストダウンを図ることができる。更に、エアフィルタの移動経路を形成するフィルタガイド部材の少なくとも１つをネジ止め固定するに当り、作業性を考慮して止めネジを正面側から締めるようにしても、該止めネジの頭部を空清フィルタのフィルタ保持枠の一部に設けたネジカバーを兼ねたフィルタガイド面の１つで覆う隠すことができることから、フィルタガイド部材の止めネジあるいはその設置部がエアフィルタの移動面側に面していた場合でも、それらがエアフィルタの移動を妨げることはなく、エアフィルタを円滑に移動して自動清掃することができ、しかも止めネジを覆い隠す別部品を設ける必要がなく、これによっても部品数の削減、構成の簡素化等を図ることができる。
【発明の効果】
【０００９】
本発明によると、エアフィルタの移動経路を形成するフィルタガイド部材が多数のガイド部材からなり、その構成が複雑化され勝ちとなる中、エアフィルタの下流側に配設されている空清フィルタのフィルタ保持枠をフィルタガイド部材の一部として兼用化することにより、エアフィルタの移動経路を形成するフィルタガイド部材の構成部品数を減らすことができるため、フィルタガイド部材の部品数の低減によって構成の簡素化および低コスト化を図ることができるとともに、組み立て性を向上することができる。また、フィルタ保持枠の前面側の面をエアフィルタの移動経路に沿ったフィルタガイド面としてエアフィルタの背面をガイドし、エアフィルタを移動経路に沿ってスムーズに移動させることができるため、フィルタ保持枠の前面側の面をフィルタガイド面として有効利用し、エアフィルタ移動方式のフィルタ清掃機構におけるフィルタガイド部材の部品数を低減して構成の簡素化およびコストダウンを図ることができる。更に、エアフィルタの移動経路を形成するフィルタガイド部材の少なくとも１つをネジ止め固定するに当り、作業性を考慮して止めネジを正面側から締めるようにしても、その止めネジの頭部を空清フィルタのフィルタ保持枠の一部に設けたネジカバーを兼ねたフィルタガイド面の１つで覆う隠すことができるため、フィルタガイド部材の止めネジあるいはその設置部がエアフィルタの移動面側に面していた場合でも、それらがエアフィルタの移動を妨げることはなく、エアフィルタを円滑に移動して自動清掃することができ、しかも止めネジを覆い隠す別部品を設ける必要がなく、これによっても部品数の削減、構成の簡素化等を図ることができる。
【図面の簡単な説明】
【００１０】
【図１】本発明の一実施形態にかかる空気調和機の斜視図である。
【図２】図１に示す空気調和機のフロントパネルを取外した状態の斜視図である。
【図３】図１に示す空気調和機の縦断面図である。
【図４】図１に示す空気調和機に組み込まれるエアフィルタの移動経路のみを示す縦断面図である。
【図５】図１に示す空気調和機に組み込まれる空清フィルタの一例を示す斜視図である。
【発明を実施するための形態】
【００１１】
以下に、本発明の一実施形態について、図１ないし図５を参照して説明する。
図１には、本発明の一実施形態にかかる空気調和機の斜視図が示され、図２には、そのフロントパネルを取外した状態の斜視図、図３には、その縦断面図が示されている。ここでは、壁掛け型の空気調和機１が例示されている。
空気調和機１は、ベース本体２と、該ベース本体２にその前方部位を上下、左右、および前面から被うように取り付けられたフロントカバー３と、該フロントカバー３の前面に取り付けられたフロントパネル４とから構成された横長長方形状の筐体５を備えている。
【００１２】
筐体５を構成しているフロントカバー３の前面および上面は、その略全面が格子状の桟６，７とされ、該桟６，７により空気吸込み口８が形成されるとともに、該桟６，７がフィルタガイドを兼ねるように構成されている。フロントカバー３の上面には、吸込みグリル９が設置されており、下面の前方部位には、略全幅にわたり温調された空気を室内に吹出す吹出し口１０が開口されている。空気吹出し口１０には、風向を左右方向に変更する複数枚のルーバ１１と、風向を上下方向に変更するとともに、空気吹出し口１０を閉鎖可能な左右に２分割されている上下各２枚の水平フラップ１２が設けられている。このルーバ１１および水平フラップ１２は、図示省略のモータによって、それぞれ独立して回動されるように構成されている。
【００１３】
筐体５内には、前面および上面の空気吸込み口８から下面前方部位の空気吹出し口１０に至る間に空気流路１３が形成されており、該空気流路１３中に上流側からエアフィルタ１４、室内熱交換器（熱交換器）１５および室内ファン１６が順次配設されている。吸込みグリル９を介して吸込まれた室内空気は、エアフィルタ１４を通過して塵埃が除去された後、室内熱交換器１５により冷却または加熱され、室内ファン１６を介して空気吹出し口８から室内に吹出されるようになっている。エアフィルタ１４は、左右に２分割されて設置され、該エアフィルタ１４の背面側の前面上方部位には、それぞれ横長の空清フィルタ１７が配設されている。
【００１４】
ここでの、空清フィルタ１７は、例えばＨＥＰＡフィルタ、脱臭フィルタ、アレルゲン不活性化フィルタ、各種除菌フィルタ等の空気清浄化フィルタを総称しており、空気中の比較的大きな塵埃を捕集するプレフィルタとして機能するエアフィルタ１４とは別個に設置されるものである。この空清フィルタ１７は、後述するフィルタ保持枠１８を介してフロントカバー３の前面上方部位に設置されている。
【００１５】
室内熱交換器１５は、概略Λ形状に折り曲げ形成されたプレートフィンチューブ型熱交換器とされ、筐体５内において、前面の下部位置から上面および後面にかけて配設されている。該室内熱交換器１５の下流側において、その内側空間内に室内ファン１６を構成する細長い筒状のクロスフローファンが配設されている。エアフィルタ１４は、室内熱交換器１２の上流側において、筐体５を構成しているフロントカバー３の前面および上面の略全面に設けられている格子状の桟６，７の前面側領域を覆うように、多数のフィルタガイド部材によって形成される第１フィルタ移動経路１９に沿って付設されている。
【００１６】
第１フィルタ移動経路１９は、フロントカバー３の桟６，７の表面、吸込みグリル９の下面、フロントカバー３の前面側に設置されているフィルタガイド部材２０、空清フィルタ１７のフィルタ保持枠１８、該フィルタ保持枠１８に対向してフロントカバー３の前面上方部位に設置されているフィルタガイド部材２１、フロントパネル４の背面にフィルタガイド部材２０と対向配置されているフィルタガイド部材２２等々の多数のフィルタガイド部材によって形成されている。
【００１７】
この第１フィルタ移動経路１９は、筐体５の上面側に沿って形成されている移動経路１９Ａと、筐体５の前面側に沿って形成されている移動経路１９Ｂとから構成されている。また、第１フィルタ移動経路１９を介して室内熱交換器１５の上流側に沿って付設されているエアフィルタ１４は、その上流側面に捕集された塵埃を除去するため、フィルタ清掃機構２３により第１フィルタ移動経路１９内を往復動可能とされている。
【００１８】
フィルタ清掃機構２３は、エアフィルタ１４上に捕集されている塵埃を除去してエアフィルタ１４を自動清掃するものであり、フロントカバー３の前面側の下方部位に設置されている。本実施形態のフィルタ清掃機構２３は、エアフィルタ１４を往復動させるための左右一対の円筒状のフィルタ駆動ローラ２４と、フィルタ駆動ローラ２４の下方に対向配置され、該フィルタ駆動ローラ２４により移動されるエアフィルタ１４の塵埃捕集面から塵埃を掻き取る左右一対の回転ブラシ２５と、該回転ブラシ２５で掻き取った塵埃を回収して溜め込む左右一対の着脱可能なダストボックス２６とを備えた構成とされている。
【００１９】
フィルタ駆動ローラ２４の左右両端部には、歯車２４Ａが設けられており、この歯車２４Ａとエアフィルタ１４のフィルタ枠の左右両側に設けられているラック１４Ａとが噛み合わされている。これによって、フィルタ駆動ローラ２４を介してエアフィルタ１４が第１フィルタ移動経路１９内を往復動可能とされている。なお、このフィルタ駆動ローラ２４は、図示省略のモータを介して正逆回転されるようになっている。
【００２０】
また、フィルタ清掃時に、エアフィルタ１４がフィルタ清掃機構２３のフィルタ駆動ローラ２４を介して移動されたとき、その移動経路を確保するための第２フィルタ移動経路２７および第３フィルタ移動経路２９が筐体５内に形成されている。第２フィルタ移動経路２７は、エアフィルタ１４をフィルタ駆動ローラ２４に沿う湾曲部を介して上方に折り返すための湾曲経路（Ｕターン経路）とされており、フィルタ駆動ローラ２４の外周面と該フィルタ駆動ローラ２４に沿って設けられている湾曲ガイド部材２８とによって形成されている。この第２フィルタ移動経路２７は、第１フィルタ移動経路１９の一端に連続されている。
【００２１】
第３フィルタ移動経路２９は、エアフィルタ１４を室内熱交換器１５の上方部位から外れた位置に導くための経路であり、第２フィルタ移動経路２７のＵターンされた側の端部に連続されている。この第３フィルタ移動経路２９は、室内熱交換器１５の前面側において、フロントパネル４の背面に沿って上下方向に延在されている第１フィルタ移動経路１９の移動経路１９Ｂと、室内熱交換器１５の前面側との間を通して、該移動経路１９Ｂと略平行に上方に延在されている。
【００２２】
また、第３フィルタ移動経路２９は、フロントカバー３の前面側の桟６の表面とフィルタガイド部材２０の後面２０Ａとの間に形成される上方に延在する移動経路２９Ａと、筐体５内の前面上方部位で第１フィルタ移動経路１９と交差してフロントパネル４の背面に延在する、フィルタガイド部材２１とフロントパネル４背面のフィルタガイド部材２２とにより形成される移動経路２９Ｂと、フロントパネル４の背面に沿って下向きに折り返されて下方に延在し、フィルタガイド部材２１の下端付近で第１フィルタ移動経路１９に合流される、フィルタガイド部材２１とフィルタガイド部材２２によって形成される移動経路２９Ｃとから構成されている。
【００２３】
第３フィルタ移動経路２９と第１フィルタ移動経路１９とが交差する位置は、エアフィルタ１４が第３フィルタ移動経路２９に沿って移動される過程で、その一端が交差位置に差し掛かったとき、第１フィルタ移動経路１８を移動しているエアフィルタ１４の他端が交差位置を通過しているように、第２フィルタ移動経路２７のＵターン位置から最遠の上方位置に設定されている。
【００２４】
さらに、上記した第１フィルタ移動経路１９の一部が、空清フィルタ１７のフィルタ保持枠１８の一部を利用して形成されている。空清フィルタ１７は、フィルタ保持枠１８に保持され、エアフィルタ１４の背面側のフロントカバー３の前面上方部位の左右に一対設置されている。各フィルタ保持枠１８は、図５に示されるように、左右方向に長い格子状の長方形枠１８Ａとされており、下方中央部に把手１８Ｂが設けられている。この格子状の長方形枠１８Ａのエアフィルタ１４の背面に対向する前面側の面が、第１フィルタ移動経路１９に沿ったフィルタガイド面１８Ｃを形成しており、図４に示されるように、前方に僅かに凸状の滑らかな湾曲面とされている。
【００２５】
また、長方形枠１８Ａの左右両側の下方部位には、側方に突出されたフィルタガイド面１８Ｄが形成されている。このフィルタガイド面１８Ｄは、図４に示されるように、フィルタガイド部材２０をフロントカバー３にその正面側からネジ止め固定している止めネジ３０の頭部およびネジ止め用の凹部（ネジ設置部）３１を覆い隠すことによって、フィルタガイド部材２０に連なる滑らかな移動経路１９Ｂを形成するためのものである。
【００２６】
以上に説明の構成により、本実施形態によれば、以下の作用効果を奏する。
空気調和機１が運転されると、室内ファン１６の回転により、室内空気が吸込みグリル９および空気吸込み口８を介して筐体５内に吸込まれる。該空気は、エアフィルタ１４および空清フィルタ１７を通過する過程で塵埃、微粒子、臭気、アレルゲン、その他が除去され、清浄化されて室内熱交換器１５に供給される。そして、該空気が室内熱交換器１５で内部を流通する冷媒と熱交換されて冷却または加熱された後、空気流路１３、空気吹出し口１０を経て室内に吹出されることによって、室内の冷房または暖房に供される。
【００２７】
空気調和機１の運転時間が長くなると、エアフィルタ１４に捕集された塵埃が少しずつ蓄積され、通風抵抗が徐々に増加される。そのまま運転を続けると、圧損が増大し、空気調和機１の運転効率が低下されるため、例えば累積運転時間が設定時間に到達時の運転終了時毎に、フィルタ清掃機構２３を稼働させ、エアフィルタ１４上に蓄積されている塵埃を除去するフィルタ清掃運転を行うようにしている。このフィルタ清掃運転は、フィルタ清掃機構２３のフィルタ駆動ローラ２４および回転ブラシ２５を回転駆動し、第１フィルタ移動経路１９に沿って付設されているエアフィルタ１４を、第２フィルタ移動経路２７を経て第３フィルタ移動経路２９へと移動させることによって行われる。
【００２８】
すなわち、フィルタ駆動ローラ２４の回転により、歯車２４Ａにラック１４Ａを介して噛み合っているエアフィルタ１４が移動され、第１フィルタ移動経路１９から第２フィルタ移動経路２７および第３フィルタ移動経路２９へと往動される。この間、フィルタ駆動ローラ２４と対向配置されている回転ブラシ２５がエアフィルタ１４の塵埃捕集面に接触し、エアフィルタ１４上に蓄積されている塵埃を掻き取り、該塵埃をダストボックス２６内に回収することによって、エアフィルタ１４の塵埃捕集面が自動的に清掃される。
【００２９】
エアフィルタ１４が移動される第１フィルタ移動経路１９と第３フィルタ移動経路２９が途中で交差されているが、第３フィルタ移動経路２９に移動したエアフィルタ１４の一端が第１フィルタ移動経路１９と第３フィルタ移動経路２９の交差位置に差し掛かったとき、エアフィルタ１４の他端は既に交差位置を通過しているため、エアフィルタ１４の端部同士が第３フィルタ移動経路２９と第１フィルタ移動経路１９との交差位置で互いに干渉することはなく、エアフィルタ１４は、第３フィルタ移動経路２９の移動経路２９Ａから移動経路２９Ｂへと交差位置を横切って移動される。
【００３０】
そして、エアフィルタ１４の一端が、第３フィルタ移動経路２９の移動経路２９Ｂからフロントパネル４の背面に沿って下向きに折り返され、下方に延在されている移動経路２９Ｃを経て第１フィルタ移動経路１９の移動経路１９Ｂに進入し、その他端を追随するように移動してフィルタ駆動ローラ２４の少し手前位置に到達したとき、エアフィルタ１４の全面の清掃が完了すると同時に、エアフィルタ１４の往動が停止される。この間にエアフィルタ１４から回転ブラシ２５により掻き取られた塵埃は、ダストボックス２６内に落下され、回収される。
【００３１】
ダストボックス２６は、一定量の塵埃を溜め込むことができるようになっており、適宜量の塵埃が溜まったとき、ダストボックス２６を筐体５から取り外すことによって、塵埃を廃棄処分することができる。一方、エアフィルタ１４の自動清掃が完了すると、フィルタ駆動ローラ２４が逆回転され、エアフィルタ１４は、上記の第３、第２および第１フィルタ移動経路２９，２７，１９を逆方向に移動され、再び図３に示す第１フィルタ移動経路１９にセットされた通常付設位置へと戻される。
【００３２】
斯くして、本実施形態においては、上記したエアフィルタ１４の移動経路の一部、すなわち第１フィルタ移動経路１９の一部が、空清フィルタ１７のフィルタ保持枠１８の一部をフィルタガイド部材に兼用化することによって形成されている。つまり、フィルタ保持枠１８のエアフィルタ１４の背面に対向する前面側の面が、第１フィルタ移動経路１８に沿ったフィルタガイド面１８Ｃとされており、フィルタ保持枠１８の左右両側部から側方に突出されている面が、フィルタガイド部材２０をフロントカバー３にその正面側から固定する止めネジ３０の頭部およびネジ止め用の凹部（ネジ設置部）３１を覆い隠し、滑らかな移動経路を形成するフィルタガイド面１８Ｄとされている。
【００３３】
このように、エアフィルタ１４の移動経路１９，２７，２９を形成するフィルタガイド部材が多数のガイド部材からなり、その構成が複雑化され勝ちとなる中、エアフィルタ１４の下流側に配設されている空清フィルタ１７のフィルタ保持枠１８をフィルタガイド部材の一部として兼用化することによって、エアフィルタ１４の移動経路１９を形成するフィルタガイド部材の構成部品数を減らすことができる。その結果、フィルタガイド部材の部品数を低減して構成の簡素化および低コスト化を図ることができるとともに、組み立て性を向上することができる。
【００３４】
また、格子状をなすフィルタ保持枠１８の前面側の面を、そのままフィルタガイド面１８Ｃとして有効に利用することができるため、フィルタ保持枠１８に対して余計な加工等を施す必要もなく、エアフィルタ移動方式のフィルタ清掃機構２３を備えた空気調和機１では不可欠のフィルタガイド部材の部品数を低減し、構成の簡素化およびコストダウンを図ることができる。
【００３５】
さらに、フィルタ保持枠１８の左右両側部の面を、フィルタガイド部材２０を正面側から筐体５を構成するフロントカバー３に固定する止めネジ３０の頭部およびネジ止め用の凹部（ネジ設置部）３１を覆い隠すネジカバーを兼ねたフィルタガイド面１８Ｄとしているため、エアフィルタ１４の移動経路１９，２７，２９を形成するフィルタガイド部材の１つであるフィルタガイド部材２０をネジ止め固定するに当り、作業性を考慮して止めネジ３０をフロントカバー３の正面側から締めるようにしたとしても、該止めネジ３０の頭部およびネジ止め用の凹部３１をフィルタ保持枠１８に設けられているネジカバーを兼ねたフィルタガイド面１８Ｄで覆う隠すことができる。
【００３６】
これにより、フィルタガイド部材２０の止めネジ３０あるいはネジ止め用の凹部（ネジ設置部）３１がエアフィルタ１４の移動面側に面していたとしても、それらがエアフィルタ１４の移動を阻害することはなく、従って、エアフィルタ１４を円滑に移動して自動清掃することができる。また、止めネジ３０を覆い隠す別部品を設ける必要がなく、これによっても部品数の削減、構成の簡素化等を図ることができる。
【００３７】
なお、本発明は、上記実施形態にかかる発明に限定されるものではなく、その要旨を逸脱しない範囲において、適宜変形が可能である。例えば、上記実施形態では、壁掛け型の空気調和機１に適用した例について説明したが、これに限らず、他型式の空気調和機にも同様に適用できることは云うまでもない。
【００３８】
また、フィルタ清掃機構２３を筐体５内の前面の下方部位に設置した例について説明したが、フィルタ清掃機構２３の設置位置は、この下方部位に限定されるものではない。さらに、フィルタ清掃機構２３は、エアフィルタ１４が移動される方式であれば、如何なる構成であってもよく、例えば回転ブラシ式である必要はなく、固定式の掻き取りブラシを用いたものであってもよい。
【符号の説明】
【００３９】
１  空気調和機
３  フロントカバー
５  筐体
８  空気吸込み口
１０  空気吹出し口
１３  空気流路
１４  エアフィルタ
１５  室内熱交換器（熱交換器）
１６  送風機
１７  空清フィルタ
１８  フィルタ保持枠
１８Ｃ，１８Ｄ  フィルタガイド面
１９  第１フィルタ移動経路
２０，２１，２２  フィルタガイド部材
２３  フィルタ清掃機構
２７  第２フィルタ移動経路
２９  第３フィルタ移動経路
３０  止めネジ
３１  ネジ止め用の凹部（ネジ設置部）
【図１】
0005787498.tif 000002
【図２】
0005787498.tif 000003
【図３】
0005787498.tif 000004
【図４】
0005787498.tif 000005
【図５】
0005787498.tif 000006